(57)【要約】【課題】  保管や設置作業が容易な棚部材を提供する。【解決手段】  一対の棚板取付部２００と、当該棚板取付部２００を支持するブラケット１００と、レール部材１１０とを備えた棚部材３００であって、前記棚板取付部２００は、前記ブラケット１００及び前記レール部材１１０を備え、当該レール部材１１０の長尺方向に沿ってスライド可能に構成され、前記一対の棚板取付部２００は、直線状の基端部材２１０の両側にそれぞれ連結軸２２０によって連結される共に、当該連結軸２２０を中心に前記基端部材２１０に向けて回動して、折り畳み可能に構成されていることを特徴とする。【選択図】図５
0003219618.tif 000002
【実用新案登録請求の範囲】
【請求項１】
一対の棚板取付部と、当該棚板取付部を支持するブラケットと、レール部材とを備えた棚部材であって、
前記棚板取付部は、前記ブラケット及び前記レール部材を備え、当該レール部材の長尺方向に沿ってスライド可能に構成され、
前記一対の棚板取付部は、直線状の基端部材の両側にそれぞれ連結軸によって連結されると共に、当該連結軸を中心に前記基端部材に向けて回動して、折り畳み可能に構成されていることを特徴とする棚部材。
【請求項２】
前記ブラケットには、係合孔が設けられ、
前記棚板取付部には、前記係合孔に係合する係合突起が設けられており、
当該係合突起は、前記係合孔に係合する係合状態と、前記係合孔から外れる非係合状態とを切換可能に構成されていることを特徴とする請求項１に記載の棚部材。
【請求項３】
前記棚板取付部の裏側に、前記係合状態と前記非係合状態とを切り換える操作部を備えることを特徴とする請求項２に記載の棚部材。
【請求項４】
前記係合突起が前記係合孔に係合する係合状態となるように、前記係合突起を前記係合孔に向けて付勢する付勢部材を備えることを特徴とする請求項２又は３に記載の棚部材。
【考案の詳細な説明】
【技術分野】
【０００１】
本考案は、店舗等で商品を陳列するための陳列棚に用いられる棚部材に関するものである。
【０００２】
従来から、特許文献１に示すような商品を陳列するための商品陳列棚は、ブラケットと、当該ブラケットに支持される棚板部とを備えた棚部材を、支柱に取り付けて設置していた。具体的には、支柱にはブラケットを係止可能な固定孔が、上下方向に一列に複数設けられているので、任意の位置にブラケットを差し込んで取り付け、そのブラケットに棚板部を取り付けていた。そして、その棚板部はレール部材によって、前後方向にスライド可能に構成されていた。
【０００３】
ところで、商品陳列棚に棚部材を取り付けない場合は、棚部材を支柱から取り外して保管しているが、棚部材の両側の一対のブラケットは、それぞれ分離した状態で保管されるため、紛失する可能性や、保管時に嵩張るという問題があった。また、棚部材を支柱に取り付ける際は、棚部材が傾かないように、両側のブラケットが支柱に同じ高さで取り付けられるようにしなければならず、棚部材の設置作業は面倒でもあった。
【先行技術文献】
【特許文献】
【０００４】
【特許文献１】特開２００９−２７３８５８号
【考案の概要】
【考案が解決しようとする課題】
【０００５】
そこで、本考案は、上記問題に鑑み、保管や設置作業が容易な棚部材を提供することを目的としている。
【課題を解決するための手段】
【０００６】
上記課題を解決するために、本考案の棚部材は、一対の棚板取付部と、当該棚板取付部を支持するブラケットと、レール部材とを備えた棚部材であって、前記棚板取付部は、前記ブラケット及び前記レール部材を備え、当該レール部材の長尺方向に沿ってスライド可能に構成され、前記一対の棚板取付部は、直線状の基端部材の両側にそれぞれ連結軸によって連結される共に、当該連結軸を中心に前記基端部材に向けて回動して、折り畳み可能に構成されていることを特徴とする。
【０００７】
当該特徴のように、ブラケット及びレール部材を備えた棚板取付部を、基端部材に向けて回動させて折り畳むことができるので、全体がコンパクトになり、運搬や保管が容易となる。さらに、両側のブラケットは棚板取付部に取り付けられて一体となっているので、運搬や保管時に紛失する虞もない。さらに、棚部材の棚板取付部は、直線状の基端部材によって互いに連結されているので、両側のブラケットは同じ高さになっている。そのため、棚部材を水平に保った状態で、両側のブラケットの係止爪を支柱の固定穴にそれぞれ係止させれば、両側のブラケットは同じ高さで支柱に容易に固定されるのである。したがって、棚部材が傾かないように支柱に容易に取り付けることができるのである。
【０００８】
さらに、本考案の棚部材は、前記ブラケットには、係合孔が設けられ、前記棚板取付部には、前記係合孔に係合する係合突起が設けられており、当該係合突起は、前記係合孔に係合する係合状態と、前記係合孔から外れる非係合状態とを切換可能に構成されていることを特徴とする。
【０００９】
当該特徴のように、係合状態と非係合状態とを切り換えることが出来るので、棚板取付部をレール部材に沿って前後にスライドさせた状態で、棚板取付部を容易に固定することができる。また、支柱に対して棚部材を斜めに配置した場合であっても、自重によって棚板取付部が前方へスライドすることを防止できる。
【００１０】
さらに、本考案の棚部材は、前記棚板取付部の裏側に、前記係合状態と前記非係合状態とを切り換える操作部を備えることを特徴とする。
【００１１】
当該特徴のように、棚板取付部の裏側に操作部を備えるので、棚部材上に操作部が露出することがなく、棚部材の上方の陳列スペースを有効活用できる。
【００１２】
さらに、本考案の棚部材は、前記係合突起が前記係合孔に係合する係合状態となるように、前記係合突起を前記係合孔に向けて付勢する付勢部材を備えることを特徴とする。
【００１３】
当該特徴のように、係合突起が係合孔に係合する係合状態となるように、付勢部材によって、係合突起が係合孔に向けて付勢されているので、不用意に係合状態が解除されないように係合状態を維持することができ、また、非係合状態から自動的に係合状態へ戻すこともできる。
【考案の効果】
【００１４】
上記の本考案の棚部材によれば、保管や設置作業が容易である。
【図面の簡単な説明】
【００１５】
【図１】（ａ）は本考案の棚部材を支柱に取り付けた状態の全体斜視図、（ｂ）は棚部材を支柱に取り付けた状態の側面図である。
【図２】本考案の棚部材の平面図である。
【図３】本考案の棚部材の底面図である。
【図４】図３に示す状態から棚板取付部を前方へスライドさせた底面図である。
【図５】（ａ）は本考案の棚部材の平面図、（ｂ）は棚部材の底面図である。
【符号の説明】
【００１６】
１００        ブラケット
１１０        レール部材
２００        棚板取付部
２１０        基端部材
２２０        連結軸
３００        棚部材
【考案を実施するための形態】
【００１７】
以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１８】
まず、図１に本考案の棚部材３００を支柱Ｘに取り付けた状態について説明する。なお、図１（ａ）は棚部材３００を支柱Ｘに取り付けた状態の全体斜視図、図１（ｂ）は棚部材３００を支柱Ｘに取り付けた状態の側面図である。また、本明細書における上下方向とは、図１に示すように、垂直方向に設置された支柱Ｘに沿った上下方向を意味する。
【００１９】
図１に示すように、店内の床面等に二本の支柱Ｘが垂直に設置されている。この支柱Ｘには、上下方向に複数の固定孔が形成されているので、任意の位置の係合孔にブラケット１００の係止爪１２０を係止させて、ブラケット１００を支柱Ｘに取り付ける。そして、ブラケット１００と一体となった棚板取付部２００の上に、長尺状の棚板部４００を取り付けて、棚部材３００の設置が完了する。また、係止爪１２０は複数設けられおり、棚部材３００は、支柱Ｘに対して水平方向に設置したり、支柱Ｘに対して傾斜するように設置することもできる。また、詳しくは後述するが、棚板取付部２００はブラケット１００の長尺方向に沿って前後にスライド可能となっているので、棚板取付部２００に取り付けられた棚板部４００を前後にスライドさせることができる。この棚部材３００は、ブラケット１００及び棚板取付部２００から構成されており、このブラケット１００及び棚板取付部２００の詳しい構成については、図２及び図３で説明する。
【００２０】
まず、図２は棚部材３００の平面図、図３は棚部材３００の底面図、図４は図３に示す状態から棚板取付部２００を前方へスライドさせた底面図である。棚部材３００は、一対の棚板取付部２００を備えており、当該一対の棚板取付部２００は、直線状に延びる長尺状の基端部材２１０の両側にそれぞれ固定されている。また、棚板取付部２００は、略長方形の板部材であり、後端側の連結軸２２０によって基端部材２１０に連結されている。そして、棚板取付部２００は、連結軸２２０を中心に回動可能に軸支されている。
【００２１】
この棚部材３００を支柱Ｘに取り付ける際は、棚部材３００を水平に保った状態で、棚部材３００の両側のブラケット１００の係止爪１２０を支柱Ｘの固定穴にそれぞれ係止させる。両側の棚板取付部２００は、直線状の基端部材２１０によって互いに連結されているので、両側のブラケット１００は同じ高さになっている。そのため、棚部材３００を水平に保った状態で、両側のブラケット１００の係止爪１２０を支柱Ｘの固定穴にそれぞれ係止させれば、両側のブラケット１００は同じ高さで支柱Ｘに容易に固定されるのである。したがって、棚部材３００が傾かないように支柱Ｘに容易に取り付けることができる。
【００２２】
さらに、棚板取付部２００は、ブラケット１００及びレール部材１１０を備えている。具体的には、ブラケット１００は、直線状に延びるレール部材１１０と、レール部材１１０の先端側に設けられた補助ローラー１１５とを備える。このレール部材１１０は、縦断面略コ字状をしており、棚板取付部２００に固定されている主ローラー２３０が、レール部材１１０のコ字状部分に嵌められる。そして、主ローラー２３０がレール部材１１０の内部で転がるように移動することで、棚板取付部２００がレール部材１１０の長尺方向に沿ってスライドできるのである。その際、ブラケット１００の補助ローラー１１５は、棚板取付部２００の裏面に当接しながら回転することで、棚板取付部２００のスライドを下面側から支持しているのである。
【００２３】
また、ブラケット１００の上壁１１３の先端側には、複数の係合孔１３０が設けられている。この係合孔１３０は、等間隔でブラケット１００の長尺方向に沿って配置されており、各係合孔１３０は、棚板取付部２００の係合突起２４０と係合できるようになっている。
【００２４】
また、棚板取付部２００の裏面側には、直線状に延びる回動部２５０が設けられており、この回動部２５０は、棚板取付部２００の裏面に略直角に設けられた回転軸２５１を中心に回動できるようになっている。そのため、回動部２５０は、棚板取付部２００の裏面に沿って回動することになる。また、回動部２５０の一端２５２は棚板取付部２００の前端側に位置しており、回動部２５０の他端２５３は棚板取付部２００の後端側に位置している。この一端２５２は、人の指で押すことが出来る程度の大きさの操作部２５４を備える。一方、他端２５３は、ブラケット１００の係合孔１３０に係合する円柱形状の係合突起２４０を備える。
【００２５】
さらに、他端２５３にはスライド軸２６０の末端２６１が固定されており、このスライド軸２６０は、係合突起２４０とは反対方向へ延出している。そして、スライド軸２６０の先端２６２側は、棚板取付部２００の裏面から突出する軸受板２６３にスライド可能に軸支されている。さらに、このスライド軸２６０の周囲には付勢部材であるバネＳが挿通されており、このバネＳはスライド軸２６０に沿って伸縮できる。また、バネＳの一端は回動部２５０の他端２５３の外面に当接し、バネＳの他端は軸受板２６３に当接している。
【００２６】
そして、バネＳの付勢力によって、回動部２５０の他端２５３は側方へ向けて付勢されている。そのため、他端２５３に設けられた係合突起２４０は、ブラケット１００の係合孔１３０に向けて付勢されて、係合孔１３０に係合した係合状態を維持している。この係合突起２４０が係合孔１３０に係合した係合状態では、棚板取付部２００は、レール部材１１０に沿ってスライド出来ないように固定されている。
【００２７】
次に、人の指等で操作部２５４を側方へ向けて（図４の矢印参照）押すと、回動部２５０は回転軸２５１を中心に回動し、操作部２５４とは反対側の他端２５３が、軸受板２６３に向けて回動する。すると、他端２５３に設けられた係合突起２４０は、ブラケット１００の係合孔１３０から外れた非係合状態となるので、図４に示すように、棚板取付部２００をレール部材１１０の長尺方向に沿って前方へスライドできるのである。
【００２８】
なお、他端２５３と軸受板２６３の間のバネＳは圧縮されて縮まるので、圧縮されたバネＳには、圧縮される前の元の状態に戻ろうとする復元力が働き、他端２５３は側方へ向けて付勢された状態となっている。そのため、図４に示すように、棚板取付部２００をレール部材１１０の長尺方向に沿って任意の場所へスライドさせた後に、操作部２５４から指を離せば、バネＳの復元力によって、他端２５３に設けられた係合突起２４０は、ブラケット１００の係合孔１３０に向けて付勢され、係合孔１３０に係合する係合状態へと自動的に戻るのである。
【００２９】
では次に、図５を参照して、本考案の棚部材３００を折り畳んだ状態について説明する。なお、図５（ａ）は棚部材３００の平面図、図５（ｂ）は棚部材３００の底面図である。
【００３０】
図５に示すように、基端部材２１０の両側に設けられた棚板取付部２００は、連結軸２２０を中心に基端部材２１０に向けて回動させて折り畳むことができる。また、棚板取付部２００は、ブラケット１００及びレール部材１１０を備えているので、棚板取付部２００と共にブラケット１００及びレール部材１１０も折り畳むことができるのである。なお、図２では、棚板取付部２００を、基端部材２１０に対して略直角になるまで、連結軸２２０を中心に回動させた状態となっている。
【００３１】
このように、本考案の棚部材３００によれば、ブラケット１００及びレール部材１１０を備えた棚板取付部２００を、基端部材２１０に向けて回動させて折り畳むことができるので、全体がコンパクトになり、運搬や保管が容易となる。さらに、両側のブラケット１００は棚板取付部２００に取り付けられて一体となっているので、運搬や保管時に紛失する虞もない。
【００３２】
さらに、棚部材３００の棚板取付部２００は、直線状の基端部材２１０によって互いに連結されているので、両側のブラケット１００は同じ高さになっている。そのため、棚部材３００を水平に保った状態で、両側のブラケット１００の係止爪１２０を支柱Ｘの固定穴にそれぞれ係止させれば、両側のブラケット１００は同じ高さで支柱Ｘに容易に固定されるのである。したがって、棚部材３００が傾かないように支柱Ｘに容易に取り付けることができるのである。
【００３３】
また、本考案の棚部材３００によれば、棚板取付部２００側の係合突起２４０がブラケット１００の係合孔１３０に係合する係合状態と、係合突起２４０が係合孔１３０から外れる非係合状態とを切り換えることが出来るので、棚板取付部２００をレール部材１１０に沿って前後にスライドさせた状態で、棚板取付部２００を容易に固定することができる。また、支柱に対して棚部材３００を斜めに配置した場合であっても、自重によって棚板取付部２００が前方へスライドすることを防止できる。
【００３４】
また、本考案の棚部材３００によれば、棚板取付部２００の裏側に係合状態と非係合状態とを切り換える操作部２５４を備えるので、棚部材３００上に操作部２５４が露出することがなく、棚部材３００の上方の陳列スペースを有効活用できる。
【００３５】
また、本考案の棚部材３００によれば、係合突起２４０が係合孔１３０に係合する係合状態となるように、付勢部材によって、係合突起２４０が係合孔１３０に向けて付勢されているので、不用意に係合状態が解除されないように係合状態を維持することができ、また、非係合状態から自動的に係合状態へ戻すこともできる。なお、付勢部材としてバネＳを採用したが、これに限定されず、係合突起２４０を係合孔１３０へ向けて付勢する付勢部材であれば、ゴムやその他の部材を適宜採用してもよい。
【００３６】
なお、本考案の棚部材は、上記の実施例に限定されず、特許請求の範囲に記載された範囲、実施形態の範囲で、種々の変形例、組み合わせが可能であり、これらの変形例、組み合わせもその権利範囲に含むものである。
【図１】
0003219618.tif 000003
【図２】
0003219618.tif 000004
【図３】
0003219618.tif 000005
【図４】
0003219618.tif 000006
【図５】
0003219618.tif 000007